【手続補正書】
【提出日】平成21年9月18日(2009.9.18)
【手続補正１】
【補正対象書類名】明細書
【補正対象項目名】特許請求の範囲
【補正方法】変更
【補正の内容】
【特許請求の範囲】
【請求項１】
静止画や動画などの映像を取得するための撮像部を備えた携帯型無線端末であって、次の（ａ）〜（ｃ）の構成を有する支持部、を備えたことを特徴とする撮像部付き携帯型無線端末。
（ａ）前記携帯型無線端末の本体に備えられている
（ｂ）「撮像部、又は、撮像部の一部である撮像用レンズなどから成る撮像用の光学系部」を支持している
（ｃ）自らの上端部が、前記携帯型無線端末の本体の上端部から上方に、少なくとも約２．５ｃｍ以上の距離、突出可能に構成され、且つ、前記携帯型無線端末の本体に対して上下方向に、少なくとも約２．５ｃｍ以上の距離、移動可能に構成されている
【請求項２】
静止画や動画などの映像を取得するための撮像部を備えた携帯型無線端末であって、次の（ａ）〜（ｄ）の構成を有する支持部、を備えたことを特徴とする撮像部付き携帯型無線端末。
（ａ）前記携帯型無線端末の本体の上端部に備えられている
（ｂ）「撮像部、又は、撮像部の一部である撮像用レンズなどから成る撮像用の光学系部」を支持している
（ｃ）自らの上端部が、前記携帯型無線端末の本体の上端部から上方に、少なくとも約２．５ｃｍ以上の距離、突出可能に構成され、且つ、前記携帯型無線端末の本体に対して上下方向に、少なくとも約２．５ｃｍ以上の距離、移動可能に構成されている
【請求項３】
静止画や動画などの映像を取得するための撮像部を備えた携帯型無線端末であって、次の（ａ）〜（ｄ）の構成を有する支持部、を備えたことを特徴とする撮像部付き携帯型無線端末。
（ａ）前記携帯型無線端末の本体の上端部に備えられている
（ｂ）「撮像部、又は、撮像部の一部である撮像用レンズなどから成る撮像用の光学系部」を支持している
（ｃ）自らの上端部又はその周辺部に、「撮像部、又は、撮像部の一部である撮像用レンズなどから成る撮像用の光学系部」が配置されている
（ｄ）自らの上端部が、前記携帯型無線端末の本体の上端部から上方に、少なくとも約２．５ｃｍ以上の距離、突出可能に構成され、且つ、前記携帯型無線端末の本体に対して上下方向に、少なくとも約２．５ｃｍ以上の距離、移動可能に構成されている
【請求項４】
請求項１から３までのいずれかにおいて、前記支持部は、無線通信用のアンテナ部を含むもの、又は、無線通信用のアンテナの支持軸を兼用するものである、ことを特徴とする撮像部付き携帯型無線端末。
【請求項５】
請求項１から４までのいずれかにおいて、
前記撮像部による撮像が行われる若しくは行われようとするとき、自動的に前記支持部の上端部が本体から離れる方向に突出するように、前記支持部の上端部を自動的に上方に移動させるための自動移動部、が備えられている、ことを特徴とする撮像部付き携帯型無線端末。
【手続補正２】
【補正対象書類名】明細書
【補正対象項目名】０００４
【補正方法】変更
【補正の内容】
【０００４】
そこで、本発明は、ユーザーが携帯型無線端末の中央部又は下方部に備えられた「マイク」に「自分の口」を対向させながら遠隔の相手方と会話をする場合において自分の顔を含む画像を遠隔の相手方に送信するとき（テレビ電話機能を利用する場合など）に、撮像部で撮像され相手方に送信されるユーザーの顔の画像が「ユーザーの鼻が大きく写された画像（多くの場合、ユーザーの鼻の穴がその下方から大写しになっている画像）」となってしまう（従来の携帯端末においては、「マイク」と「撮像部」との間の距離が約１０〜１３ｃｍ程度と短いため、このようなことが生じていた）ことを防止することができる、撮像部付き携帯型無線端末を提供することを目的とする。
また、本発明は、ユーザーが携帯型無線端末の中央部又は上方部に備えられた「表示部」を自分の「眼」で見ながら遠隔の相手方と会話をする場合において自分の顔を含む画像を遠隔の相手方に送信するとき（テレビ電話機能を利用する場合など）に、撮像部で撮像され相手方に送信されるユーザーの顔の画像が「ユーザーの鼻が、画面の中心に、大きく写し出されている画像（多くの場合、ユーザーの鼻の穴がその下方から大写しになっている画像）」となってしまうこと（従来の携帯端末においては、「表示部」と「撮像部」との間の距離が約１〜３ｃｍ程度と短いため、このようなことが生じていた）を防止することができる、撮像部付き携帯型無線端末を提供することを目的とする。
【手続補正３】
【補正対象書類名】明細書
【補正対象項目名】０００６
【補正方法】変更
【補正の内容】
【０００６】
（本発明の内容）
１  静止画や動画などの映像を取得するための撮像部を備えた携帯型無線端末であって、次の（ａ）〜（ｃ）の構成を有する支持部、を備えたことを特徴とする撮像部付き携帯型無線端末。
（ａ）前記携帯型無線端末の本体に備えられている
（ｂ）「撮像部、又は、撮像部の一部である撮像用レンズなどから成る撮像用の光学系部」を支持している
（ｃ）自らの上端部が、前記携帯型無線端末の本体の上端部から上方に、少なくとも約２．５ｃｍ以上の距離、突出可能に構成され、且つ、前記携帯型無線端末の本体に対して上下方向に、少なくとも約２．５ｃｍ以上の距離、移動可能に構成されている
２  静止画や動画などの映像を取得するための撮像部を備えた携帯型無線端末であって、次の（ａ）〜（ｄ）の構成を有する支持部、を備えたことを特徴とする撮像部付き携帯型無線端末。
（ａ）前記携帯型無線端末の本体の上端部に備えられている
（ｂ）「撮像部、又は、撮像部の一部である撮像用レンズなどから成る撮像用の光学系部」を支持している
（ｃ）自らの上端部が、前記携帯型無線端末の本体の上端部から上方に、少なくとも約２．５ｃｍ以上の距離、突出可能に構成され、且つ、前記携帯型無線端末の本体に対して上下方向に、少なくとも約２．５ｃｍ以上の距離、移動可能に構成されている
３  静止画や動画などの映像を取得するための撮像部を備えた携帯型無線端末であって、次の（ａ）〜（ｄ）の構成を有する支持部、を備えたことを特徴とする撮像部付き携帯型無線端末。
（ａ）前記携帯型無線端末の本体の上端部に備えられている
（ｂ）「撮像部、又は、撮像部の一部である撮像用レンズなどから成る撮像用の光学系部」を支持している
（ｃ）自らの上端部又はその周辺部に、「撮像部、又は、撮像部の一部である撮像用レンズなどから成る撮像用の光学系部」が配置されている
（ｄ）自らの上端部が、前記携帯型無線端末の本体の上端部から上方に、少なくとも約２．５ｃｍ以上の距離、突出可能に構成され、且つ、前記携帯型無線端末の本体に対して上下方向に、少なくとも約２．５ｃｍ以上の距離、移動可能に構成されている
４  上記１から３までのいずれかにおいて、前記支持部は、無線通信用のアンテナ部を含むもの、又は、無線通信用のアンテナの支持軸を兼用するものである、ことを特徴とする撮像部付き携帯型無線端末。
５  上記１から４までのいずれかにおいて、
前記撮像部による撮像が行われる若しくは行われようとするとき、自動的に前記支持部の上端部が本体から離れる方向に突出するように、前記支持部の上端部を自動的に上方に移動させるための自動移動部、が備えられていることを特徴とする撮像部付き携帯型無線端末。
【手続補正４】
【補正対象書類名】明細書
【補正対象項目名】００２３
【補正方法】変更
【補正の内容】
【００２３】
【発明の効果】
本発明の効果及び本発明の実施形態による効果は、次のとおりである。
１．以上のように、本発明によれば、携帯型無線端末の上端部又はその近傍に、「撮像部、又は、その一部としての光学系部」を携帯型無線端末の上端部からその上方に移動させることができる支持部（アンテナ部を含むもの、又はアンテナの支持軸を兼用するものをも含む）を備えるようにしているので、ユーザーは、遠隔の相手方と会話をする場合において自分の顔を含む画像を遠隔の相手方に送信するとき（例えば携帯型無線端末のテレビ電話機能を使用するときなど）に、従来のように「ユーザーの顔の鼻の穴を大きく目立つように写し出すような撮像方向」で撮像した映像ではなく、「ユーザーの顔の鼻をその略正面側又は上方から写すような撮像方向（ユーザーの鼻の穴が目立つように撮像されないような撮像方向）」で撮像した映像を、相手方に送信することができるようになる。
すなわち、本発明においては、
（ａ）前記支持部（アンテナ部を含むもの、又はアンテナの支持軸を兼用するものをも含む）を携帯型無線端末の上端部から上方に突出させた状態では、前記支持部に備えられた撮像部（又は、撮像部の一部としての光学系部）と携帯型無線端末の中央部又は下方部に備えられたマイクとの距離が、従来と比べて十分に長いものとなる（図１（ｂ）のマイク３とアンテナ上端部１１との間の距離を参照）ので、例えばユーザーが前記マイクに向かって話しながら（マイクに自分の口を対向させながら）会話の相手方に自らの顔を含む画像を送信するなどの場合でも、前記撮像部の撮像方向を、「ユーザーの顔の鼻の穴が大きく目立つように写し出される方向（多くの場合、ユーザーの鼻の穴がその下方から大写しになってしまう方向）」ではなく、「ユーザーの顔の鼻をその略正面側又は上方から写すような撮像方向（ユーザーの鼻の穴が目立つように撮像されないような撮像方向）」とすることができるようになる。また、
（ｂ）前記支持部（アンテナ部を含むもの、又はアンテナの支持軸を兼用するものをも含む）を携帯型無線端末の上端部から上方に突出させた状態では、前記支持部に備えられた撮像部（又は、撮像部の一部としての光学系部）と携帯型無線端末の中央部又は上方部に備えられた表示画面との距離が、従来と比べて十分に長いものとなる（図１（ｂ）の表示画面１０とアンテナ上端部１１との間の距離を参照）ので、例えばユーザーが前記表示画面を自分の眼で見下ろしながら（表示画面の上方に自分の眼を対向させながら）会話の相手方に自らの顔を含む画像を送信するなどの場合でも、前記撮像部の撮像方向を、「ユーザーの顔の鼻の穴が大きく目立つように写し出される方向（多くの場合、ユーザーの鼻の穴がその下方から大写しになってしまう方向）」ではなく、「ユーザーの顔の鼻をその略正面側又は上方から写すような撮像方向（ユーザーの鼻の穴が目立つように撮像されないような撮像方向）」とすることができるようになる。
２．また、本発明によれば、携帯型無線端末の上端部又はその近傍に、「撮像部、又は、その一部としての光学系部」を携帯型無線端末の上端部からその上方に移動させることができる支持部（アンテナ部を含むもの、又はアンテナの支持軸を兼用するものをも含む）を備えるようにしているので、例えば「住宅の床下」や「自動車などの機械・機構部分の内部の隙間」などの人間の頭部が容易に入り込めない場所についても、ユーザーは、前記「撮像部、又は、その一部としての光学系部」を、前記支持部により、携帯型無線端末の上端部からその上方に移動させることにより、前記「撮像部、又は、その一部としての光学系部」を、その「人間の頭部が容易に入り込めない場所」の中に挿入して、その場所の中を撮像することにより、その場所の様子を容易に知ることができるようになる。
３．さらに、本発明において、支持部（アンテナ部を含むもの、又はアンテナの支持軸を兼用するものをも含む）に備えられた撮像部による撮像が行われる又は行われようとするときに、前記撮像部（又はその光学系部）が筐体（端末）の上端部から離れる上方向（ユーザーの頭上方向）に移動するように、前記支持部を自動的に変位・変形させる「自動移動部」を備えるようにしたときは、ユーザーは、遠隔の相手方と会話をする場合において自分の顔を含む画像を遠隔の相手方に送信するとき（例えば携帯型無線端末のテレビ電話機能を使用するときなど）に、いちいち、自分の手で前記支持部を上方に引っ張り上げるなどの作業をする必要がなくなるというメリットが得られる。
４．さらに、本発明において、前記撮像部（又は、その一部としての光学系部）を支持する支持部（アンテナ部を含むもの、又はアンテナの支持軸を兼用するものをも含む）を、「携帯型無線端末の左右方向のほぼ中央」に配置するようにしたときは、前記撮像部が、端末を使用している「ユーザーの顔の左右方向の中央」とほぼ対向する位置に配置されるようになるので、自分の顔を撮像部の方向（右又は左の方向）に向けるなどの作為をユーザーがわざわざしなくても、自然に、ユーザーの顔の左右の中央方向から撮像された自然な顔の画像が得られるようになる。
※なお、本発明を、遠隔の相手方と会話をする場合に自分の顔を含む画像を遠隔の相手方に送信するとき（例えば携帯型無線端末のテレビ電話機能を使用する場合など）ではなく、「ユーザーが、自分の顔を含む画像を携帯型無線端末に備えられた撮像部を使用して撮像して、知人に電子メールで送ったり、年賀状の裏面に印刷したりするなどの場合」に適用するようにしたときは、ユーザーは、「自分の鼻の穴がその下方向から大きく写し出された画像」が撮影されて、それが相手方に電子メールで送信されてしまったり、それが年賀状の裏面に印刷されてしまったりすることを、防止できるようになる。